(57)【要約】アナモルフィックレンズを備える撮像装置における所定のパラメータに基づいて、表示部における表示処理を行う信号処理装置である。【選択図】図１
2020044844.tif 000002
【特許請求の範囲】
【請求項１】
アナモルフィックレンズを備える撮像装置における所定のパラメータに基づいて、表示部における表示処理を行う
信号処理装置。
【請求項２】
前記表示処理として、前記表示部において合焦状態を示すアイコンの表示を行う
請求項１に記載の信号処理装置。
【請求項３】
前記パラメータは、前記アナモルフィックレンズの垂直方向に対応する方向におけるＦ値と、前記アナモルフィックレンズの水平方向に対応する方向におけるＦ値である
請求項２に記載の信号処理装置。
【請求項４】
ピントずれ量と、前記垂直方向に対応する方向におけるＦ値と前記水平方向に対応する方向におけるＦ値の平均との比較結果に基づき前記アイコンの表示態様を決定する
請求項３に記載の信号処理装置。
【請求項５】
前記表示処理として、前記表示部における複数の合焦エリアの状態を制御する
請求項１に記載の信号処理装置。
【請求項６】
前記パラメータは、前記アナモルフィックレンズの垂直方向に対応する方向におけるズーム倍率と、前記アナモルフィックレンズの水平方向に対応する方向におけるズーム倍率であり、前記パラメータに基づいて前記合焦エリアの状態を変更する
請求項５に記載の信号処理装置。
【請求項７】
前記アナモルフィックレンズを用いて取得された撮像信号に基づいた画像の前記水平方向の圧縮状態に対応した前記合焦エリアの状態と、前記画像の前記水平方向の引き伸ばし状態に対応した前記合焦エリアの状態とが異なるように変更する
請求項６に記載の信号処理装置。
【請求項８】
前記合焦エリアの状態とは、前記合焦エリアの配置であり、
前記圧縮状態に対応した前記合焦エリアの配置が前記引き伸ばし状態に対応した前記合焦エリアエリアの配置より密になるように前記合焦エリアの配置を変更する
請求項７に記載の信号処理装置。
【請求項９】
前記アナモルフィックレンズの垂直方向に対応する方向におけるＦ値と、前記アナモルフィックレンズの水平方向に対応する方向におけるＦ値に基づいて、前記表示部において前記複数の合焦エリアを示すアイコンを表示させるか否かを決定する
請求項５に記載の信号処理装置。
【請求項１０】
前記表示処理として、前記表示部における、被写体検出機能により検出した被写体を示すアイコンの表示を制御する
請求項１に記載の信号処理装置。
【請求項１１】
アナモルフィックレンズを備える撮像装置における所定のパラメータに基づいて、前記撮像装置が備える表示部における表示処理を行う
信号処理方法。
【請求項１２】
アナモルフィックレンズを備える撮像装置における所定のパラメータに基づいて、前記撮像装置が備える表示部における表示処理を行う
信号処理方法をコンピュータに実行させる信号処理プログラム。
【請求項１３】
アナモルフィックレンズと、
所定のパラメータに基づいて、表示部における表示処理を行う信号処理部と
を備える
撮像装置。
【発明の詳細な説明】
【技術分野】
【０００１】
本技術は、信号処理装置、信号処理方法、信号処理プログラムおよび撮像装置に関する。
【背景技術】
【０００２】
一般的なカメラのレンズは、レンズ光軸に対して回転方向に光学的対称に設計されている。しかし、例えば、シネマ撮影などに用いられるアナモルフィックレンズのような特殊なレンズでは、意図的に水平方向と垂直方向で異なる光学特性を有するように設計されている。【０００３】
アナモルフィックレンズとは、垂直方向と水平方向で光学特性（焦点距離）が異なるレンズであり、一般的に水平方向の焦点距離が短くなるように設計し、撮影時に水平方向を圧縮した状態で映像を記録する。そして、映像の再生時に水平方向に映像を引き伸ばすことにより記録素子のアスペクト以上の横長の自然な画を再生することができる。【０００４】
昨今の多くのカメラには、ピントがあっているかあっていないかを示すピント表示、ピントが合った領域を示す合焦エリア表示、人物の顔を検出しピントを合わせる領域を決める人物検出機能など、ピントに関連する機能が搭載されており、これらは使用するレンズの光学特性、例えば焦点距離やＦ値などの情報を使用して、適切な表示や制御を行っている場合が多い。【０００５】
しかし、一般的なカメラのこれらの機能は、撮影レンズの光学特性は回転対称で、水平方向と垂直方向の特性が同じであることを前提に設定されている。【０００６】
そこで、アナモルフィックレンズを装着したときに、アスペクト比を変更することにより生ずる性能劣化をなくすため、オートフォーカス・露出やホワイトバランスなどの検出エリアのサイズをそのアスペクト比情報に基づいて変更する方法が提案されている（特許文献１）。
【先行技術文献】
【特許文献】
【０００７】
【特許文献１】特許第３２７８２０６号公報
【発明の概要】
【発明が解決しようとする課題】
【０００８】
しかし、特許文献１は、アナモルフィックレンズの水平方向と垂直方向で光学特性が異なることによる各種機能の制御方法については提案されておらず、未解決となっている。【０００９】
本技術はこのような点に鑑みなされたものであり、アナモルフィックレンズを備える撮像装置において、ユーザが特殊な操作、扱いをすることなく一般的な撮像装置が備える機能を使用することができる信号処理装置、信号処理方法、信号処理プログラムおよび撮像装置を提供することを目的とする。
【課題を解決するための手段】
【００１０】
上述した課題を解決するために、第１の技術は、アナモルフィックレンズを備える撮像装置における所定のパラメータに基づいて、表示部における表示処理を行う信号処理装置である。【００１１】
また、第２の技術は、アナモルフィックレンズを備える撮像装置における所定のパラメータに基づいて、前記撮像装置が備える表示部における表示処理を行う信号処理方法である。【００１２】
また、第３の技術は、アナモルフィックレンズを備える撮像装置における所定のパラメータに基づいて、撮像装置が備える表示部における表示処理を行う信号処理方法をコンピュータに実行させる信号処理プログラムである。【００１３】
また、第４の技術は、アナモルフィックレンズと、所定のパラメータに基づいて、表示部における表示処理を行う信号処理部とを備える撮像装置である。
【発明の効果】
【００１４】
本技術によれば、アナモルフィックレンズを備える撮像装置において、ユーザが特殊な操作、扱いをすることなく一般的な撮像装置が備える機能を使用することができる。なお、ここに記載された効果は必ずしも限定されるものではなく、明細書中に記載されたいずれかの効果であってもよい。
【図面の簡単な説明】
【００１５】
【図１】実施の形態に係る撮像装置の構成を示すブロック図である。
【図２】アナモルフィックレンズの特性を示すグラフである。
【図３】表示処理の第１の態様により表示される合焦マークの説明図である。
【図４】第１の態様の処理を示すフローチャートである。
【図５】表示処理の第２の態様において配置される合焦エリアの説明図である。
【図６】本技術を使用しない場合の合焦エリアの配置例である。
【図７】表示処理の第２の態様において配置される合焦エリアの他の例の説明図である。
【図８】第２の態様の処理を示すフローチャートである。
【図９】ピントが合っている合焦エリアのみを表示する状態を示す図である。
【図１０】被写体検出枠の表示を示す図である。
【発明を実施するための形態】
【００１６】
以下、本技術の実施の形態について図面を参照しながら説明する。なお、説明は以下の順序で行う。
＜１．実施の形態＞
［１−１．撮像装置の構成］
［１−２．アナモルフィックレンズの特性について］
［１−３．信号処理装置による第１の表示処理：合焦マーク表示］
［１−４．信号処理装置による第２の表示処理：合焦エリア処理］
＜２．変形例＞
【００１７】
＜１．実施の形態＞
［１−１．撮像装置の構成］
まず、図１を参照して実施の形態に係る信号処理装置１５０を備える撮像装置１００の構成について説明する。本実施の形態はアナモルフィックレンズ１０１を備える撮像装置１００において表示処理を行うものである。
【００１８】
撮像装置１００は、アナモルフィックレンズ１０１を含む光学撮像系１０２、レンズ駆動ドライバ１０３、撮像素子１０４、信号処理ＬＳＩ（Large-Scale Integration）１０５、画像信号処理部１０６、コーデック部１０７、記憶部１０８、表示制御部１０９、表示部１１０、入力部１１１、制御部１１２、検波部１１３、ＡＦ制御部１１４、信号処理装置１５０を備えて構成されている。
【００１９】
光学撮像系１０２は、被写体からの光を撮像素子１０４に集光するためのアナモルフィックレンズ１０１、ズーミングなどを行うための駆動機構、シャッタ機構、アイリス機構などから構成されている。これらは制御部１１２およびレンズ駆動ドライバ１０３からの制御信号に基づいて駆動される。光学撮像系１０２を介して得られた被写体の光画像は、撮像デバイスとしての撮像素子１０４上に結像される。
【００２０】
レンズ駆動ドライバ１０３は、例えばマイコンなどにより構成され、制御部１１２の制御に従い、オートフォーカスのためのアナモルフィックレンズ１０１の駆動、光学撮像系１０２の駆動機構、シャッタ機構、アイリス機構などの動作を制御する。これにより、露光時間（シャッタースピード）の調整、絞り値（Ｆ値）などの調整がなされる。
【００２１】
撮像素子１０４は、被写体からの入射光を光電変換して電荷量に変換し、アナログ撮像信号として出力する。撮像素子１０４から出力されるアナログ撮像信号は画像信号処理部１０６に出力される。撮像素子１０４としては、ＣＣＤ（Charge Coupled Device）、ＣＭＯＳ（Complementary Metal Oxide Semiconductor）などが用いられる。
【００２２】
画像信号処理部１０６は撮像素子１０４から出力された撮像信号に対して、ＣＤＳ（Correlated Double Sampling）処理によりＳ／Ｎ（Signal／Noise）比を良好に保つためのサンプルホールド、ＡＧＣ（Auto Gain Control）処理、Ａ／Ｄ（Analog/Digital）変換などを行ない、画像信号を生成する。
【００２３】
また画像信号処理部１０６は、デモザイク処理、ホワイトバランス調整処理や色補正処理、ガンマ補正処理、Ｙ／Ｃ変換処理、ＡＥ（Auto Exposure）処理、解像度変換処理などの所定の信号処理を画像信号に対して施してもよい。
【００２４】
コーデック部１０７は、所定の処理が施された画像信号について、例えば記録用や通信用の符号化処理を行う。
【００２５】
記憶部１０８は、例えば、ハードディスク、メモリスティック（ソニー株式会社の登録商標）、ＳＤメモリカードなどの大容量記憶媒体である。画像は例えばＪＰＥＧ（Joint Photographic Experts Group）などの規格に基づいて圧縮された状態で保存される。また、保存された画像に関する情報、撮像日時などの付加情報を含むＥＸＩＦ（Exchangeable Image File Format）データもその画像に対応付けられて保存される。動画は、例えば、ＭＰＥＧ２（Moving Picture Experts Group2）、ＭＰＥＧ４などの形式で保存される。
【００２６】
表示制御部１０９は、生成された画像データを表示部１１０に表示する制御を行うものである。
【００２７】
表示部１１０は、例えば、ＬＣＤ（Liquid Crystal Display）、ＰＤＰ(Plasma Display Panel)、有機ＥＬ(Electro Luminescence)パネルなどにより構成された表示デバイスである。表示部１１０には、撮像装置１００のユーザインターフェース、メニュー画面、撮像中のモニタリング画像、記憶部１０８に記録された撮像済み画像、撮像済み動画などが表示される。
【００２８】
入力部１１１は、例えば、電源オン／オフ切り替えのための電源ボタン、画像の記録の開始を指示するためのレリーズボタン、ズーム調整用のズームレバー、表示部１１０と一体に構成されたタッチスクリーンなどからなる。入力部１１１に対して入力がなされると、その入力に応じた制御信号が生成されて制御部１１２に出力される。そして、制御部１１２はその制御信号に対応した演算処理や制御を行う。
【００２９】
制御部１１２は、ＣＰＵ（Central Processing Unit）、ＲＡＭ（Random Access Memory）およびＲＯＭ（Read Only Memory）などから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって撮像装置１００全体の制御を行う。
【００３０】
検波部１１３は、供給された撮像信号を用いて、画像の垂直方向と水平方向のそれぞれに対して検波処理を行い、オートフォーカス用の検波範囲における被写体への合焦の状態を検出し、全ての検波範囲におけるデフォーカス量を取得する。デフォーカス量とは、焦点からのずれ量である。さらに、検波部１１３はデフォーカス量に対応するＭＴＦを取得し、図２に示すようなデフォーカス量とＭＴＦとからなる検波情報を生成する。検波部１１３により取得された検波情報はＡＦ制御部１１４に供給される。なお、画像の垂直方向と水平方向とはアナモルフィックレンズ１０１における垂直方向と水平方向とにそれぞれ対応するものであり、垂直方向と水平方向は互いに直交する方向であるものとする。
【００３１】
ＡＦ制御部１１４は、検波部１１３から供給された検波情報に基づいてオートフォーカスの合焦位置を決定する。アナモルフィックレンズ１０１の合焦位置までのピントの差がピントずれ量である。アナモルフィックレンズ１０１の位置が合焦位置から離れているほどピントずれ量は大きく、アナモルフィックレンズ１０１の位置が合焦位置から近いほどピントずれ量は小さくなる。
【００３２】
そしてＡＦ制御部１１４は、決定した合焦位置に基づいてレンズ駆動ドライバ１０３を駆動させることにより、アナモルフィックレンズ１０１を光軸方向に沿って所定量移動させて被写体に合焦してピントが合うようにオートフォーカス制御を行なう。
【００３３】
信号処理装置１５０は、撮像装置１００の所定のパラメータに基づいて後述する表示処理を行うものである。
【００３４】
なお、信号処理装置１５０はプログラムで構成され、そのプログラムは、予め撮像装置１００内にインストールされていてもよいし、ダウンロード、記憶媒体などで配布されて、ユーザが自らインストールするようにしてもよい。なお、信号処理装置１５０は、プログラムによって実現されるのみでなく、その機能を有するハードウェアによる専用の装置、回路などを組み合わせて実現されてもよい。
【００３５】
撮像装置１００は以上のようにして構成されている。なお、本技術において、画像とは静止画像に加え、動画を構成するフレーム画像を含むものである。
【００３６】
［１−２．アナモルフィックレンズの特性について］
次にアナモルフィックレンズの特性について説明する。図２はアナモルフィックレンズにおけるＭＴＦ（Modulation Transfer Function）特性の例を示すグラフである。ＭＴＦとは、レンズの性能を評価する指標の１つであり、レンズの結像性能を知るために被写体のコントラストをどの程度忠実に再現できるかを空間周波数特性として表したものである。特定の空間周波数でのＭＴＦが解像度に相当し、値が大きいほど高解像度であることを示している。図２において、横軸は水平方向光学系の近軸光線位置を示している。また、縦軸はＭＴＦを示している。図２において、実線は水平方向におけるＭＴＦ特性を示し、破線は垂直方向におけるＭＴＦ特性を示している。またＦｌ(低周波)のＭＴＦ特性を太線、Ｆｈ(高周波)のＭＴＦ特性を細線で示している。
【００３７】
アナモルフィックレンズは一般的に垂直方向よりも水平方向の方が焦点距離が短く、被写界深度が深い。よって、図２のグラフの横軸をデフォーカス量とする場合、垂直方向と水平方向とでは同じデフォーカス量でも水平方向の方がＭＴＦ特性が下がりにくい、という特徴がある。また、垂直方向と水平方向とでＭＴＦ特性の傾きが異なる、ともいえる。これにより、垂直方向の方が水平方向に比べて早くボケるということができる。よって、同じデフォーカス量でも垂直方向は水平方向に比べてＭＴＦが下がりやすく、ボケて見えることになる。また、水平方向は垂直方向に比べてピントが合っているとされるデフォーカス量の範囲が広いといえる。
【００３８】
さらに、垂直方向と水平方向とではＭＴＦ特性のピーク位置が異なる。光学設計次第ではあるが、垂直方向と水平方向とでＭＴＦ特性のピーク位置を全ての条件において一致させるのは困難である。なお、垂直方向と水平方向とでＭＴＦ特性は被写体の周波数によっても変化する。なお、垂直方向と水平方向とは互いに直交する方向であるものとする。
【００３９】
通常、オートフォーカスにおける検波は水平方向において行われる。しかし、アナモルフィックレンズでは垂直方向と水平方向とでＭＴＦ特性の傾きが異なるため、水平方向においてのみ検波を行うとすると垂直方向におけるオートフォーカスが正常に機能しないことになる。
【００４０】
このようなアナモルフィックレンズの特性により、アナモルフィックレンズを備える撮像装置においてはオートフォーカスに基づく機能をはじめとした種々の機能が正常に使用できない場合がある。そこで、以下に説明する処理を行うことにより、アナモルフィックレンズを備える撮像装置においても、ユーザが特殊な操作、扱いをすることなく一般的な撮像装置が備える機能を使用できるようにする。
【００４１】
［１−３．信号処理装置による第１の表示処理：合焦マーク表示］
信号処理装置１５０における処理の第１の態様について説明する。第１の態様は、アナモルフィックレンズ１０１を備える撮像装置１００における合焦マーク表示処理である。
【００４２】
まず合焦マークの表示態様について説明する。合焦マークは撮像装置１００での撮影中に表示部１１０においてスルー画上に重畳して表示される、合焦状態を示す例えば円形状のアイコンである。アイコンの形態と点灯の態様とそれが示す意味は図３に示す。
【００４３】
図３Ａに示すように合焦マーク１０００が第１の形態で点灯している場合、それは被写体にピントが合っていることを示している。
【００４４】
また、図３Ｂに示すように合焦マーク１０００が第１の形態で点滅している場合、それは被写体にピントが合っていないことを示している。
【００４５】
また、図３Ｃに示すように合焦マーク１０００が第２の形態で点灯している場合、ピントが合っている、ただし、被写体の動きに合わせてピント位置が変化することを示している。
【００４６】
さらに、図３Ｄに示すように合焦マーク１０００が第３の態様で点灯している場合、ピント合わせの途中、ピントが合っている位置を探している状態であることを示している。
【００４７】
なお、この合焦マーク１０００の形態と点灯の態様は図３に示すものに限られない。円形状に限られず他の形状でもよいし、点灯と点滅とによる区別のほか、形状の変化、色の変化などにより異なる状態を示してもよい。
【００４８】
次に図４のフローチャートを参照して、信号処理装置１５０における合焦マーク表示処理について説明する。なお、下記のフローチャートの説明における「ピントずれ量」とは、オートフォーカスにおける処理で算出されるピントずれ量のことであり、垂直方向と水平方向でピントずれ量が異なる場合には、所定の方法で１つの値に決定する。
【００４９】
ピントずれ量を１つに決定する方法としては、垂直方向と水平方向のピントずれ量の平均値をとる方法、ＭＴＦ特性に基づいて決定する方法、ＭＴＦ特性と被写体の傾きに基づいて決定する方法、位相差ＡＦの検波で用いられるブロックマッチングの類似度の算出方法の１つであるＳＡＤ(Sum of Absolute Difference)で計算される信頼度・類似度などの指標に基づいて決定する方法、垂直方向を優先する方法、などの方法がある。
【００５０】
また、垂直方向と水平方向のうち、Ｆ値が小さい方のピントずれ量を採用する、ユーザに選択させるという方法もある。
【００５１】
まずステップＳ１０１で、ピント検出が不可能であるか否かが判定される。ピント検出が可能である場合、処理はステップＳ１０２に進む（ステップＳ１０１のＮｏ）。次に、撮像装置１００がピントを合わせ続けるモードであるか否かが判定される。これは、ユーザによって設定されたり、自動で判別されたりするものであり、撮像装置１００の設定情報を参照することにより判定することができる。
【００５２】
ステップＳ１０２で撮像装置１００がピントを合わせ続けるモードではない場合、処理はステップＳ１０３に進む（ステップＳ１０２のＮｏ）。次にステップＳ１０３でピントが固定中であるか否かが判定される。ピントが固定中ではない場合、処理はステップＳ１０４に進む（ステップＳ１０３のＮｏ）。
【００５３】
次にステップＳ１０４でピントずれ量と下記の［式１］に示す第１の比較式との比較が行われる。
【００５４】
［式１］
ピントずれ量＜√（水平方向Ｆ値×垂直方向Ｆ値）×ｄ１
【００５５】
第１の比較式におけるｄ１はピント許容幅を決定するための定数である。また水平方向におけるＦ値と垂直方向におけるＦ値が特許請求の範囲における所定のパラメータに相当するものである。なお、［式１］は、水平方向と垂直方向の相乗平均をとるものであるが、これに限らず算術平均や、水平方向／垂直方向で重みをつける加重平均で計算する方法もある。
【００５６】
ステップＳ１０４でピントずれ量が第１の比較式よりも大きい場合、処理はステップＳ１０５に進む（ステップＳ１０４のＹｅｓ）。そしてステップＳ１０５で信号処理装置１５０は表示部１１０に合焦マーク１０００は表示しないよう処理を行う。
【００５７】
説明はステップＳ１０３に戻る。ステップＳ１０３でピントが固定中である場合処理はステップＳ１０６に進み、図３Ａに示す、ピントが合っていることを示す合焦マーク１０００を表示部１１０に表示させる。これはピント検出が可能であり、ピントが固定中であるということは被写体にピントが合っている状態であると判定することができるからである。
【００５８】
また、ステップＳ１０４でピントずれ量が第１の比較式よりも小さい場合もステップＳ１０６で図３Ａに示す、ピントが合っていることを示す合焦マーク１０００を表示部１１０に表示させる。これは、ステップＳ１０４の判定で、ピントずれ量が第１の比較式以下の場合、ピントずれ量が小さく、被写体にピントが合っていると判定することができるからである。
【００５９】
説明はステップＳ１０２に戻る。ステップＳ１０２で、撮像装置１００がピントを合わせ続けるモードである場合、処理はステップＳ１０７に進む（ステップＳ１０２のＹｅｓ）。次にステップＳ１０７で、ピントずれ量と下記の［式２］に示す第２の比較式との比較が行われる。
【００６０】
［式２］
ピントずれ量＜√（水平方向Ｆ値×垂直方向Ｆ値）×ｄ２
【００６１】
第２の比較式におけるｄ２はピント許容幅を決定するための定数である。また水平方向におけるＦ値と垂直方向におけるＦ値が特許請求の範囲における所定のパラメータに相当するものである。なお、［式２］は、水平方向と垂直方向の相乗平均をとるものであるが、これに限らず算術平均や、水平方向／垂直方向で重みをつける加重平均で計算する方法もある。
【００６２】
そしてピントずれ量が第２の比較式よりも大きい場合、処理はステップＳ１０８に進む（ステップＳ１０７のＮｏ）。そしてステップＳ１０８で、図３Ｄに示す、「ピント合わせの途中、ピントが合っている位置を探している状態である」ことを示す合焦マーク１０００を表示部１１０に表示させる。これは、ピント検出が可能であり、ピントを合わせようとしているが、ピントずれ量が第１の比較式以上であるということはピントのずれが大きく、今現在被写体にピントが合っていないといえるからである。
【００６３】
一方、ピントずれ量が第２の比較式よりも小さい場合、処理はステップＳ１０９に進む（ステップＳ１０７のＹｅｓ）。ステップＳ１０９で図３Ｃに示す、「ピントが合っている、ただし、被写体の動きに合わせてピント位置が変化する」ことを示す合焦マーク１０００を表示部１１０に表示させる。これは、ピントずれ量が第１の比較式以下であるということはピントのずれが小さく、今現在被写体にピントが合っているといえるからである。
【００６４】
説明はステップＳ１０１に戻る。ステップＳ１０１でピント検出が不可能である処理はステップＳ１１０に進み（ステップＳ１０１のＹｅｓ）、図３Ｂに示すピントが合っていないことを示す合焦マーク１０００を表示部１１０に表示させる。
【００６５】
信号処理装置１５０における処理の第１の態様は以上のように構成されている。この本実施の形態の第１の態様によれば、アナモルフィックレンズ１０１を備える撮像装置１００においてユーザは何ら特殊な操作や扱いをしなくても合焦マーク表示機能を利用することができる。
【００６６】
［１−４．信号処理装置による第２の表示処理：合焦エリア処理］
次に信号処理装置１５０における処理の第２の態様について説明する。第２の態様は、アナモルフィックレンズ１０１を備える撮像装置１００における合焦エリアの配置および表示処理である。
【００６７】
合焦エリアの配置と表示とは、入力画像に対するオートフォーカス用の検波範囲である複数の合焦エリアを画像上に配置して、表示部１１０に表示されるスルー画（モニタリング画像）上に重畳してピントが合っている被写体に重なる合焦エリアを表示することである。撮像装置１００の検波部１１３は、各合焦エリアにおける被写体への合焦の状態（合焦の程度）を検出して、全ての合焦エリアにおける、焦点からのずれ量を表すデフォーカス情報を取得する。この合焦エリア表示により、現在被写体のどこにピントが合っているかをユーザは表示部１１０を見ることで確認できる。
【００６８】
図５Ａは、撮像装置１００による撮影時において、アナモルフィックレンズ１０１により水平方向に圧縮された状態の画像と、その画像に対する合焦エリア２０００の配置を示している。また図５Ｂは、アナモルフィックレンズ１０１により水平方向に圧縮された画像を水平方向に引き伸ばした、再生時の画像を再現した状態と、その画像に対する合焦エリア２０００の配置を示している。なお、図５乃至図９においては複数の合焦エリアのうちの１つに符号２０００を付しているが、その１つが合焦エリアということではなく、画像に重畳して示されている破線の矩形枠（図９においては実線）の全てが合焦エリアである。
【００６９】
本実施の形態においては、撮像装置１００は撮影時において、圧縮状態と引き伸ばし状態の両方を確認することができる機能を備えており、表示部１１０における表示で、図５Ａに示す圧縮状態と、図５Ｂに示す引き伸ばし状態を切り替えて表示してユーザに提示できるものとする。
【００７０】
上述したように、アナモルフィックレンズ１０１は、垂直方向と水平方向で焦点距離が異なるレンズであり、撮影時に水平方向を圧縮した状態で画像を記録する。そして、画像の再生時に水平方向に画像を引き伸ばすことにより記録素子のアスペクト以上の横長の自然な画を実現する。
【００７１】
本技術においては、図５Ａに示す水平方向の画像圧縮状態と図５Ｂに示す水平方向の画像引き伸ばし状態とでは合焦エリア２０００の状態（配置間隔（配置密度））が異なるようにしている。これにより、図５Ａに示す水平方向の画像圧縮状態は図５Ｂに示す水平方向の画像引き伸ばし状態に比べて、合焦エリア２０００が密に配置されるようになる。
【００７２】
図５Ａの圧縮状態において画像全体をカバーするように合焦エリア２０００が配置されている場合、図５Ｂに示すように、引き伸ばし状態においては合焦エリア２０００の水平方向の間隔を広くして同様に画像全体がカバーできるように合焦エリア２０００の配置を変更する。
【００７３】
図５の例では水平方向の引き伸ばしのズーム倍率の割合に対応させて合焦エリア２０００の配置間隔を大きくしている。ズーム倍率が特許請求の範囲における所定のパラメータである。具体的には図５Ａに示す水平方向の圧縮状態が図５Ｂに示す水平方向の引き伸ばし状態の５０％に圧縮されている場合、図５Ａの状態は図５Ｂの状態に比べて合焦エリア２０００の配置が水平方向において５０％圧縮されている。ただし、図５の例では合焦エリア２０００の数およびサイズに変化はない。
【００７４】
アナモルフィックレンズ１０１を使用することによる水平方向における画像の圧縮および引き伸ばしと合焦エリア２０００の配置を対応付けない場合、図６Ｂに示すように引き伸ばし状態において合焦エリア２０００が配置されない範囲が生じてしまう。
【００７５】
そこで図５に示すように画像の水平方向における圧縮と引き伸ばしに対応させて合焦エリア２０００の配置を変更することにより、どちらの状態においても複数の合焦エリア２０００で画像全体をカバーすることができる。
【００７６】
なお、合焦エリア２０００の状態の変更は上述したように合焦エリア２０００の配置間隔の変更だけでなく、図７に示すように合焦エリア２０００の数の変更であってもよい。図７の例では、図７Ａに示す圧縮状態と比較して図７Ｂに示す引き伸ばし状態では水平方向における合焦エリア２０００の数を増加させている。
【００７７】
さらに、合焦エリア２０００の状態の変更は、合焦エリア２０００の形状の変更、合焦エリア２０００を配置する領域の変更などであってもよい。
【００７８】
次に図８を参照して、図９に示すような、アナモルフィックレンズ１０１を備える撮像装置１００における合焦エリア表示処理のフローについて説明する。この処理は全ての合焦エリア２０００のそれぞれについて行われ、その各合焦エリア２０００を表示部１１０においてスルー画に重畳して表示するか否かを決定する処理である。スルー画に重畳して表示される合焦エリアは画像中において被写体にピントが合っている位置に対応する合焦エリアである。
【００７９】
まずステップＳ２０１で、合焦エリアが、ユーザがピントを合わせたい被写体に重なる合焦エリアであるか否かが判定される。この判定は例えば、被写体検出、人物検出、画像の距離マップなどを用いて行うことができる。例えば、人物検出により検出された人物が合焦エリアと重なっている場合、通常、写真においては人物はユーザがピントを合わせたい被写体であることから、合焦エリアはピントを合わせたい被写体に重なると判定する。一方、検出された人物が合焦エリアに重なっていない場合、合焦エリアがピントを合わせたい被写体に重なる合焦エリアではないと判定される。
【００８０】
合焦エリアが、ピントを合わせたい被写体に重なる合焦エリアではない場合、処理はステップＳ２０２に進む（ステップＳ２０１のＮｏ）。そしてステップＳ２０２で、その合焦エリア２０００は表示部１１０に表示しない、という処理がなされる。
【００８１】
一方、ステップＳ２０１で、合焦エリアが、ピントを合わせたい被写体に重なる合焦エリアである場合、処理はステップＳ２０３に進む（ステップＳ２０１のＹｅｓ）。次にステップＳ２０３でピント検出が不可であるか否かが判定される。ピント検出が不可である場合処理はステップＳ２０２に進み（ステップＳ２０３のＹｅｓ）、その合焦エリアは表示部１１０に表示しない、という処理がなされる。
【００８２】
一方、ピント検出が可能である場合、処理はステップＳ２０４に進む（ステップＳ２０３のＮｏ）。次にステップＳ２０４で、ピントずれ量と下記の［式３］に示す第３の比較式との比較が行われる。
【００８３】
［式３］
ピントずれ量＜√（水平方向Ｆ値×垂直方向Ｆ値）×ｄ３
【００８４】
第３の比較式におけるｄ３はピント許容幅を決定するための定数である。また水平方向におけるＦ値と垂直方向におけるＦ値が特許請求の範囲における所定のパラメータに相当するものである。なお、［式３］は、水平方向と垂直方向の相乗平均をとるものであるが、これに限らず算術平均や、水平方向／垂直方向で重みをつける加重平均で計算する方法もある。
【００８５】
そして比較の結果、ピントずれ量が第３の比較式よりも大きい場合、処理はステップＳ２０２に進み（ステップＳ２０４のＮｏ）、その合焦エリアは表示部１１０に表示しない、という処理がなされる。
【００８６】
一方、比較の結果、ピントずれ量が第３の比較式よりも小さい場合、処理はステップＳ２０５に進み（ステップＳ２０４のＹｅｓ）、その合焦エリアにおいて被写体にピントが合っているため合焦エリアを表示部１１０に表示する、という処理がなされる。
【００８７】
この処理を全ての合焦エリアのそれぞれについて行うことにより、被写体にピントが合っている合焦エリアのみが表示部１１０において表示されることになる。
【００８８】
この合焦エリアの状態の変更は測光用の表示、被写体検出機能（顔検出機能含む）などにも応用することができる。
【００８９】
例えば図１０に示すように、撮影中に顔検出機能において画像中から検出した顔３０００に合わせて表示するアイコンである顔検出枠４０００について考える。この場合、図１０Ａに示す画像の水平方向における圧縮状態と図１０Ｂに示す画像の引き伸ばし状態において、ズーム倍率の割合に対応させて顔検出枠４０００の形状を変更する。これにより、画像の引き伸ばし状態の確認時において、顔検出枠４０００も顔３０００の形状、サイズに合った形状、サイズで表示される。
【００９０】
信号処理装置１５０における処理の第２の態様は以上のように構成されている。この本実施の形態の第２の態様によれば、アナモルフィックレンズ１０１を備える撮像装置１００においてユーザは何ら特殊な操作や扱いをしなくても合焦エリア表示機能を利用することができる。
【００９１】
以上のようにして本技術の実施の形態が構成されている。この実施の形態によれば、アナモルフィックレンズ１０１を備える撮像装置１００においても特殊な扱いをすることなく、通常のカメラが備える機能である合焦マーク表示、合焦エリア表示、被写体検出を使用することが可能となる。
【００９２】
＜２．変形例＞
以上、本技術の実施の形態について具体的に説明したが、本技術は上述の実施の形態に限定されるものではなく、本技術の技術的思想に基づく各種の変形が可能である。
【００９３】
本技術はアナモルフィックレンズ一体型の撮像装置、アナモルフィックレンズをアタッチメントとして撮像装置に取り付ける外付型のどちらにおいても適用可能であるし、静止画撮影、動画撮影のいずれにも適用可能である。
【００９４】
本技術は以下のような構成も取ることができる。
（１）
アナモルフィックレンズを備える撮像装置における所定のパラメータに基づいて、表示部における表示処理を行う
信号処理装置。
（２）
前記表示処理として、前記表示部において合焦状態を示すアイコンの表示を行う（１）に記載の信号処理装置。
（３）
前記パラメータは、前記アナモルフィックレンズの垂直方向に対応する方向におけるＦ値と、前記アナモルフィックレンズの水平方向に対応する方向におけるＦ値である（２）に記載の信号処理装置。
（４）
ピントずれ量と、前記垂直方向に対応する方向におけるＦ値と前記水平方向に対応する方向におけるＦ値の平均との比較結果に基づき前記アイコンの表示態様を決定する（２）または（３）に記載の信号処理装置。
（５）
前記表示処理として、前記表示部における複数の合焦エリアの状態を制御する（１）に記載の信号処理装置。
（６）
前記パラメータは、前記アナモルフィックレンズの垂直方向に対応する方向におけるズーム倍率と、前記アナモルフィックレンズの水平方向に対応する方向におけるズーム倍率であり、前記パラメータに基づいて前記合焦エリアの状態を変更する（５）に記載の信号処理装置。
（７）
前記アナモルフィックレンズを用いて取得された撮像信号に基づいた画像の前記水平方向の圧縮状態に対応した前記合焦エリアの状態と、前記画像の前記水平方向の引き伸ばし状態に対応した前記合焦エリアの状態とが異なるように変更する（６）に記載の信号処理装置。
（８）
前記合焦エリアの状態とは、前記合焦エリアの配置であり、
前記圧縮状態に対応した前記合焦エリアの配置が前記引き伸ばし状態に対応した前記合焦エリアエリアの配置より密になるように前記合焦エリアの配置を変更する（７）に記載の信号処理装置。
（９）
前記アナモルフィックレンズの垂直方向に対応する方向におけるＦ値と、前記アナモルフィックレンズの水平方向に対応する方向におけるＦ値に基づいて、前記表示部において前記複数の合焦エリアを示すアイコンを表示させるか否かを決定する（５）から（８）のいずれかに記載の信号処理装置。
（１０）
前記表示処理として、前記表示部における、被写体検出機能により検出した被写体を示すアイコンの表示を制御する（１）に記載の信号処理装置。
（１１）
アナモルフィックレンズを備える撮像装置における所定のパラメータに基づいて、前記撮像装置が備える表示部における表示処理を行う信号処理方法。
（１２）
アナモルフィックレンズを備える撮像装置における所定のパラメータに基づいて、前記撮像装置が備える表示部における表示処理を行う信号処理方法をコンピュータに実行させる信号処理プログラム。
（１３）
アナモルフィックレンズと、
所定のパラメータに基づいて、表示部における表示処理を行う信号処理部と
を備える撮像装置。
【符号の説明】
【００９５】
１００・・・・撮像装置
１０１・・・・アナモルフィックレンズ
１５０・・・・信号処理装置
【図１】
2020044844.tif 000003
【図２】
2020044844.tif 000004
【図３】
2020044844.tif 000005
【図４】
2020044844.tif 000006
【図５】
2020044844.tif 000007
【図６】
2020044844.tif 000008
【図７】
2020044844.tif 000009
【図８】
2020044844.tif 000010
【図９】
2020044844.tif 000011
【図１０】
2020044844.tif 000012
【国際調査報告】
2020044844.tif 000013
2020044844.tif 000014
2020044844.tif 000015
2020044844.tif 000016